(57)【要約】【課題】所定身体部位の運動イメージに更なる操作を割り当てることが可能なブレイン・コンピュータ・インターフェースを提供する。【解決手段】本発明に係るブレイン・コンピュータ・インターフェースでは、使用者が周期的に自己の所定身体部位の運動をイメージするときのイメージ頻度に基づいて所定の対象物を制御することとした。また、前記所定の身体部位は、前記使用者の左右いずれかの半身部位であることや、前記半身部位は、腕、手、指から選ばれる少なくともいずれか１つであることにも特徴を有する。【選択図】図４
2013128642.tif 000002
【特許請求の範囲】
【請求項１】
使用者が自己の所定身体部位の運動を周期的にイメージする時のイメージ開始後一定時間における脳波を測定し、この脳波から周波数が13〜30Hzの範囲のパワースペクトルを求め、同パワースペクトルが、イメージ前の脳波の前記周波数におけるパワースペクトルに基づいて定めた閾値を超えるか否かによって、所定の対象物に対し異なる制御を行うことを特徴とするブレイン・コンピュータ・インターフェースにおける対象物の制御方法。
【請求項２】
前記イメージは、1/1.5Hz未満の周期で行う場合と、1/1.5Hz以上の周期で行う場合とのいずれかを、前記使用者によって意図的に選択させることを特徴とする請求項１に記載のブレイン・コンピュータ・インターフェースにおける対象物の制御方法。
【請求項３】
前記所定の身体部位は、前記使用者の左右いずれかの半身部位であることを特徴とする請求項１又は請求項２に記載のブレイン・コンピュータ・インターフェースにおける対象物の制御方法。
【請求項４】
前記半身部位は、腕、手、指から選ばれる少なくともいずれか１つであることを特徴とする請求項３に記載のブレイン・コンピュータ・インターフェースにおける対象物の制御方法。
【請求項５】
使用者が周期的に自己の所定身体部位の運動をイメージするときのイメージ頻度に基づいて所定の対象物を制御するブレイン・コンピュータ・インターフェース。
【請求項６】
前記所定の身体部位は、前記使用者の左右いずれかの半身部位であることを特徴とする請求項５に記載のブレイン・コンピュータ・インターフェース。
【請求項７】
前記半身部位は、腕、手、指から選ばれる少なくともいずれか１つであることを特徴とする請求項６に記載のブレイン・コンピュータ・インターフェース。
【発明の詳細な説明】
【技術分野】
【０００１】
本発明は、使用者から取得した脳波に基づいて、所定の対象物を制御するブレイン・コンピュータ・インターフェース（Brain-computer Interface:BCI）及びブレイン・コンピュータ・インターフェースにおける対象物の制御方法に関する。
【背景技術】
【０００２】
従来、使用者の脳波に基づいて所定の対象物を制御すべく構成したブレイン・コンピュータ・インターフェースが知られており、様々な装置類を操作するインターフェースとして利用されている。
【０００３】
一例を挙げると、ブレイン・コンピュータ・インターフェースを備えた電動車イスが提案されている（例えば、特許文献１参照。）。
【０００４】
このような電動車イスによれば、使用者の身体の運動機能が低下している場合であっても、使用者が意図する方向へ車イスを操作することができるとしている。
【先行技術文献】
【特許文献】
【０００５】
【特許文献１】特開２００７−２０２８８２号公報
【発明の概要】
【発明が解決しようとする課題】
【０００６】
ところで、使用者がブレイン・コンピュータ・インターフェースを介して対象物を操作する場合には、所定の操作に対応付けられた脳波を生起させるために、図形の視認を行ったり、手や足を動かすことをイメージする等の方法が行われている。
【０００７】
中でも、手足など使用者自身の所定身体部位の運動をイメージする方法は、後天的な理由によって四肢の運動機能が失われた者を対象としたブレイン・コンピュータ・インターフェースにおいて、使用者の指示を認識させる上で有効な方法である。
【０００８】
例えば、国際10-20法に従って使用者の頭部に電極を配置した場合、右手の運動イメージを行うことでＣ３電極位置に脳波変動を生起させることができ、また、左手の運動イメージを行うことで、Ｃ４電極位置に脳波変動を生起させることができる。
【０００９】
それゆえ、左右の手の運動イメージに、それぞれ１つずつ操作を割り当てることができることとなる。
【００１０】
しかしながら、例えば手の場合、一方の手の運動イメージに２つの操作を割り当てることができれば、ブレイン・コンピュータ・インターフェースが制御する対象物の制御の幅をさらに広げることが可能となる。
【００１１】
本発明は、斯かる事情に鑑みてなされたものであって、所定身体部位の運動イメージに更なる操作を割り当てることが可能なブレイン・コンピュータ・インターフェース及びブレイン・コンピュータ・インターフェースにおける対象物の制御方法を提供する。
【課題を解決するための手段】
【００１２】
上記課題を解決するために、請求項１に係る本発明では、ブレイン・コンピュータ・インターフェースにおける対象物の制御方法において、使用者が自己の所定身体部位の運動を周期的にイメージする時のイメージ開始後一定時間における脳波を測定し、この脳波から周波数が13〜30Hzの範囲のパワースペクトルを求め、同パワースペクトルが、イメージ前の脳波の前記周波数におけるパワースペクトルに基づいて定めた閾値を超えるか否かによって、所定の対象物に対し異なる制御を行うこととした。
【００１３】
また、請求項２に係る本発明では、請求項１に記載のブレイン・コンピュータ・インターフェースにおける対象物の制御方法において、前記イメージは、1/1.5Hz未満の周期で行う場合と、1/1.5Hz以上の周期で行う場合とのいずれかを、前記使用者によって意図的に選択させることに特徴を有する。
【００１４】
また、請求項３に係る本発明では、請求項１又は請求項２に記載のブレイン・コンピュータ・インターフェースにおける対象物の制御方法において、前記所定の身体部位は、前記使用者の左右いずれかの半身部位であることに特徴を有する。
【００１５】
また、請求項４に係る本発明では、請求項３に記載のブレイン・コンピュータ・インターフェースにおける対象物の制御方法において、前記半身部位は、腕、手、指から選ばれる少なくともいずれか１つであることに特徴を有する。
【００１６】
また、請求項５に係る本発明では、ブレイン・コンピュータ・インターフェースにおいて、使用者が周期的に自己の所定身体部位の運動をイメージするときのイメージ頻度に基づいて所定の対象物を制御することとした。
【００１７】
また、請求項６に係る本発明では、請求項５に記載のブレイン・コンピュータ・インターフェースにおいて、前記所定の身体部位は、前記使用者の左右いずれかの半身部位であることに特徴を有する。
【００１８】
また、請求項７に係る本発明では、請求項６に記載のブレイン・コンピュータ・インターフェースにおいて、前記半身部位は、腕、手、指から選ばれる少なくともいずれか１つであることに特徴を有する。
【発明の効果】
【００１９】
請求項１に記載のブレイン・コンピュータ・インターフェースにおける対象物の制御方法によれば、使用者が自己の所定身体部位の運動を周期的にイメージする時のイメージ開始後一定時間における脳波を測定し、この脳波から周波数が13〜30Hzの範囲のパワースペクトルを求め、同パワースペクトルが、イメージ前の脳波の前記周波数におけるパワースペクトルに基づいて定めた閾値を超えるか否かによって、所定の対象物に対し異なる制御を行うこととしたため、所定身体部位の運動イメージに更なる操作を割り当てることが可能なブレイン・コンピュータ・インターフェースにおける対象物の制御方法を提供することができる。
【００２０】
また、請求項２に記載のブレイン・コンピュータ・インターフェースにおける対象物の制御方法によれば、前記イメージは、1/1.5Hz未満の周期で行う場合と、1/1.5Hz以上の周期で行う場合とのいずれかを、前記使用者によって意図的に選択させることとしたため、対象物の制御をより確実なものとすることができる。
【００２１】
また、請求項３に記載のブレイン・コンピュータ・インターフェースにおける対象物の制御方法によれば、前記所定の身体部位は、前記使用者の左右いずれかの半身部位であることとしたため、左半身部位と右半身部位とにそれぞれ制御を割り当てて対象物の制御を行うことができる。
【００２２】
また、請求項４に記載のブレイン・コンピュータ・インターフェースにおける対象物の制御方法によれば、前記半身部位は、腕、手、指から選ばれる少なくともいずれか１つであることとしたため、使用者が左右いずれの腕、手、又は指の運動をイメージしたかについて、脳波に基づき比較的正確に対象物の制御を行うことができる。
【００２３】
また、請求項５に記載のブレイン・コンピュータ・インターフェースによれば、使用者が周期的に自己の所定身体部位の運動をイメージするときのイメージ頻度に基づいて所定の対象物を制御することとしたため、所定身体部位の運動イメージに更なる操作を割り当てることが可能なブレイン・コンピュータ・インターフェースを提供することができる。
【００２４】
また、請求項６に記載のブレイン・コンピュータ・インターフェースによれば、前記所定の身体部位は、前記使用者の左右いずれかの半身部位であることとしたため、左半身部位と右半身部位とにそれぞれ制御を割り当てることができる。
【００２５】
また、請求項７に記載のブレイン・コンピュータ・インターフェースによれば、前記半身部位は、腕、手、指から選ばれる少なくともいずれか１つであることとしたため、使用者が左右いずれの腕、手、又は指の運動をイメージしたかについて、脳波に基づき比較的明確に判定を行うことができる。
【図面の簡単な説明】
【００２６】
【図１】１秒に１回の割合で右手運動イメージを行った際の頭頂部電極のパワー量の変化を示した説明図である。
【図２】５秒に１回の割合で右手を実際に動かした時（上）と、右手運動イメージを行った際（下）のＣ３及びＣ４のパワー量の変化を示した説明図である。
【図３】ブレイン・コンピュータ・インターフェースを介したコンピュータ上の仮想物体の操縦の状態を示した説明図である。
【図４】仮想物体操縦装置の構成を示したブロック図である。
【図５】β波帯域パワーの変化を示した説明図である。
【図６】ブレイン・コンピュータ・インターフェースを介したコンピュータ上の仮想物体の操縦の結果を示した表である。
【発明を実施するための形態】
【００２７】
本発明は、使用者が自己の所定身体部位の運動を周期的にイメージする時のイメージ開始後一定時間における脳波を測定し、この脳波から周波数が13〜30Hzの範囲のパワースペクトルを求め、同パワースペクトルが、イメージ前の脳波の前記周波数におけるパワースペクトルに基づいて定めた閾値を超えるか否かによって、所定の対象物に対し異なる制御を行うことを特徴とするブレイン・コンピュータ・インターフェースにおける対象物の制御方法を提供するものである。
【００２８】
また、本発明は、使用者が周期的に自己の所定身体部位の運動をイメージするときのイメージ頻度に基づいて所定の対象物を制御するブレイン・コンピュータ・インターフェースを提供することについても目的としている。
【００２９】
本発明者は長年に亘ってブレイン・コンピュータ・インターフェース（Brain-computer Interface : BCI）の研究に携わっており、日々の鋭意研究の積み重ねの中で、所定身体部位の運動をイメージを周期的に行った際に、その運動イメージの頻度、換言すれば、運動をイメージする時間間隔の違いによって、所定時間を境に脳波の波形に違いが出ることを見出した。本発明は、かかる現象を応用することで完成されたものである。
【００３０】
今回発明者によって見出された脳波波形の違いについて具体的に触れると、国際10-20法に従って被験者（使用者）の頭部に電極を配置し、脳波計測装置にてモニタリングしつつ、右手の運動をイメージさせた場合において、１秒間隔で運動イメージを行わせたときには、Ｃ３電極位置のβ波がイメージ前に比して抑制されることとなる。
【００３１】
しかしながら、例えば５秒間隔でイメージさせると、β波は、イメージ前に比して一度抑制されるものの、次いでイメージ前よりも強く現れる現象を見出した。本明細書では、この現象を「長周期イメージ後パワー増加」とも言う。
【００３２】
ただし、例えば１秒間隔で周期的にイメージを行った場合において、最後にイメージして１秒以上経過した後にも、β波のパワー増加が観察される。しかしながら、このような短い間隔でイメージした後に観察されるパワーの増加（以下、短周期イメージ後パワー増加ともいう。）は、上述の長周期イメージ後パワー増加に比して弱いものであり、対象物の制御を行う上では、適当な閾値を設けることで判別することができる。
【００３３】
本発明は、この長周期イメージ後パワー増加を利用するものであり、例えば同じ右手の運動イメージであっても、１秒毎にイメージした場合には、イメージ前に比してパワーの抑制は見られるものの長周期イメージ後パワー増加が検出されないので所定の操作対象物を前進させ、５秒毎にイメージした場合にはパワーの抑制後に長周期イメージ後パワー増加が検出されるので操作対象物を右旋回させる、のように一つの身体部位に２つの操作を割り当てることができるものである。
【００３４】
ここで、本実施形態に係るブレイン・コンピュータ・インターフェースの使用者は、四肢の運動機能の一部又は全部が低下又は失われた者（以下、運動機能障害者ともいう。）であっても良く、また、健常者であっても良い。
【００３５】
また、本実施形態に係るブレイン・コンピュータ・インターフェースにおける対象物の制御方法では、使用者が自己の所定身体部位の運動を周期的にイメージする時のイメージ開始後一定時間における脳波を測定し、この脳波から所定周波数の脳波（以下、パワースペクトルという。）を求めることとしている。特に、本実施形態では、周波数が13〜30Hzの範囲のパワースペクトルに着目することとしている。脳波から所定の帯域の脳波を抽出するには、例えば、高速フーリエ変換（Fast Fourier Transform:FFT）を利用することができる。
【００３６】
長周期イメージ後パワー増加を検出するにあたっては、ベース値や前述の閾値の設定を行うこととしている。
【００３７】
ベース値は、イメージ前、すなわち、使用者が開眼安静状態ときの脳波の13〜30Hzにおけるパワースペクトルのパワーから算出する値であって、パワースペクトルのベースラインとなる値である。このベース値は、例えば、開眼安静状態ときの脳波の13〜30Hzにおけるパワースペクトルのパワー平均値を用いることができる。
【００３８】
長周期イメージ後パワー増加は、このベース値に対してどの程度の割合で増強が行われたかで判別される。
【００３９】
閾値は、対象物の制御を行う上で、イメージ後パワー増加が生起されたか否かの基準となる値である。この閾値は、対象物の操作を行う使用者の短周期イメージ後パワー増加におけるパワーの増強割合よりも大きい値である。
【００４０】
そして、イメージ前のパワースペクトルのパワーに基づいて閾値を定め、この閾値と、イメージ後のパワースペクトルのパワー変化量とを比較して所定の対象物に対し異なる制御を行うこととしている。
【００４１】
すなわち、イメージ後のパワースペクトルが、前記閾値を超えるか否かによって、長周期イメージ後パワー増加の検出の有無を判断し、対象物に対してそれぞれ異なる制御を行うようにしている。特に、長周期イメージ後パワー増加は、イメージ後1500ms〜2500msまでの間に出現することが多く、この時間のパワースペクトル主に監視しつつ閾値と比較し、このパワースペクトルの大きさに応じて制御を行うようにしても良い。
【００４２】
イメージする所定身体部位は、随意運動が可能な身体部位であれば特に限定されるものではなく、例えば、足指、足首、膝、腿、腰、腹、胸、肩、腕、肘、手首、手、手の指、首、瞼、眼球、鼻、顔、額、唇、下顎、舌、喉を挙げることができる。
【００４３】
特に、所定の身体部位を使用者の左右いずれかの半身部位とすれば、左半身部位と右半身部位とにそれぞれ制御を割り当てることが可能となる。
【００４４】
さらに、半身部位は、腕、手、手の指から選ばれる少なくともいずれか１つとすることもできる。腕、手、手の指は、右半身及び左半身に左右対称に存在する随意運動可能な部位でありながら、ペンフィールドの地図からも分かるように、中心部（central）のＣ３電極位置及びＣ４電極位置から得られる脳波によって、左右のいずれがイメージされたかを比較的容易に検出することができるためである。
【００４５】
また、所定身体部位の運動は特に限定されるものではなく、例えば、所定身体部位が関節の場合には曲げ伸ばしや回転、筋肉であれば緊張や弛緩、喉であれば嚥下などを挙げることができる。
【００４６】
また、周期的に運動をイメージするとは、所定の（一つの）身体部位の運動を、所定時間毎に繰り返し想像することと解することができる。このとき、実際の運動は伴っても良く、伴わなくとも良い。
【００４７】
イメージ頻度とは、単位時間あたりのイメージ回数を意味するものであり、脳波の波形に違いが現れる運動のイメージの時間間隔の所定閾値を例えば1.5秒とした場合には、1.5秒未満の時間間隔（f＞1/1.5Hz）で運動イメージを行えばイメージ頻度は多くなり、1.5秒以上の時間間隔（f≦1/1.5Hz）で運動イメージを行えばイメージ頻度は少なくなると解することができる。このイメージ頻度を1.5秒未満の時間間隔で行うか、1.5秒以上の時間間隔で行うかは、使用者に意図的に選択させることにより、対象物を使用者の意図に沿って制御することができる。また、1.5秒以上の時間間隔は、必ずしも一定間隔である必要はない。例えば、１０秒間経過した後にイメージを行い、１分経過した後にイメージを行った場合であっても、上記「1.5秒以上の時間間隔」の概念に含まれる。このときの周波数表記は平均値である。また、１回だけイメージを行い、その後イメージしない場合、すなわち、単発でイメージを行った場合も上記「1.5秒以上の時間間隔」の概念に含まれる。このときのイメージ周期は無限大であると言える。
【００４８】
また、所定の対象物は特に限定されるものではない。例えば、車イスや義足、義手などの活動補助具であっても良く、また、コンピュータのディスプレイ上に表示される仮想の物であっても良い。
【００４９】
また、活動補助具は、運動機能障害者を対象とするものに限定されず、健常者を対象としたものであっても良い。例えば、健常運転者の自動車運転を補助するカーナビゲーションシステムや、車載コンピュータに対し、本実施形態に係るブレイン・コンピュータ・インターフェースを介して入力や指示を行うよう構成しても良い。
【００５０】
次に、本実施形態に係るブレイン・コンピュータ・インターフェース及びブレイン・コンピュータ・インターフェースにおける対象物の制御方法について、図面を参照しながら説明する。なお以下では、本発明の理解を容易とするために、まず、長周期イメージ後パワー増加の検証試験について説明し、その後、本実施形態に係るブレイン・コンピュータ・インターフェースを介したコンピュータ上の仮想物体の操縦について実験方法及び結果を参照しつつ説明する。
【００５１】
〔長周期イメージ後パワー増加の検証試験〕
まず、長周期イメージ後パワー増加を検出する試験について、その技術背景を交えながら説明する。
【００５２】
（技術背景）
非同期式脳波による機器制御については、Walpowらのグループの研究が有名である。彼らは、被験者に右手又は左手の運動イメージを行わせ、その際の頭皮上頭頂部Ｃ３及びＣ４の部位から導出された脳波のβ波帯域及びμ波帯域のパワー量の変化を用いて機器を制御している(PNAS, Vol.101, No.51, pp.17849-17854, 2004)。
【００５３】
これらの制御は、被験者に速い頻度の運動イメージを行わせ、このときの左右のパワー量の変化に基づいているが、被験者毎に周波数を合わせなければならないことと、β波及びμ波の左右の出現の量が異なることから計算式が複雑である。
【００５４】
また、Pfurtschellerらのグループは、手や足といった異なる部位の運動イメージによりβ波を検出し、これを運動制御に用いている(NeuroImage, Vol.31, pp.153-159, 2006)。
【００５５】
このように、非同期式脳波による機器制御に関する研究は多数なされているが、何れにしろ、被験者の訓練の期間が必要で、容易に機器制御ができているとは言い難い。
【００５６】
このような状況の中、本発明者は、所定身体部位の一例として右手又は左手の運動イメージを行わせる際に、イメージを１秒に１回の速い頻度、又は、５秒に１回のゆっくりした頻度で行わせ、このときのβ波帯域のみのパワー量の左右差の変化をみることで、まだ誰も実現できていない４次元の動き、すなわち、左右それぞれの手に２つずつの操作を割り当てて、例えば所定の対象物を前後左右など４方向に制御可能とする着想を得た。
【００５７】
具体的には、運動イメージを行った際の脳波を頭皮上の電極から記録し、β波帯域(13-30Hz)のパワー量の変化を運動イメージ前のパワー量と比較して、この変化を基に運動制御を行う考えに想到した。
【００５８】
運動イメージを行う際に、１秒間に１回の割合で運動イメージを行うと、β波のパワー量は運動イメージ前に比べて減少を示すが、右手運動イメージを行うと頭皮上対側（左脳）の運動野部位（Ｃ３）の減少が、同側（右脳）運動野部位（Ｃ４）に比べて大きく減少する。一方、左手運動イメージではその逆の現象が生じる。
【００５９】
一方、５秒間に１回の割合で運動イメージを行うと、β波のパワー量は0-500msの範囲では運動イメージ前に比べて減少を示すが、1500-2500msの範囲で大きく増加する。その増加量は右手運動イメージを行うとＣ３の部位のパワー量がＣ４の部位のそれに比べて大きく増加する。逆に左手運動イメージでは逆の現象が起こる。
【００６０】
このことを利用して、一旦減少に転じた後のパワー変化量の挙動に応じて制御機器を動かすと任意の動きを取得することが可能となる。
【００６１】
しかも、簡単な周波数フィルターを用いることで、従来実現できていなかった４次元の動きを制御できるようになる。
【００６２】
このようなブレイン・コンピュータ・インターフェースにおける対象物の制御方法によれば、筋萎縮性側索硬化症患者頭の重度な運動機能障害者に対する意志会話システムの開発、車イスの制御、義手や義足の制御、ゲーム機器のソフトウェアとして利用することができる。
【００６３】
（検証試験）
本試験では、国際10-20法に従って被験者（使用者）の頭部に電極を配置し、脳波計測装置にてモニタリングしつつ、右手の運動をイメージさせた。図１（ａ）に、１秒に１回の割合で右手運動イメージを行った際の頭頂部電極のパワー量の変化を示す。また、図１（ｂ）は国際10-20法による電極の貼着位置を示している。
【００６４】
図１（ａ）において、横軸は時間、縦軸はパワー量の変化を示している。やや色の薄い線（破線）はα波、やや色の濃い線（実線）はβ波である。なお、パワー量は、何も考えていない状態のときのα波又はβ波の１０秒間の平均値を１００（ベース値）としている。
【００６５】
図１（ａ）からも分かるように、右手運動イメージでは、左運動野（Ｃ３）の部位のβ波のパワー量が、右運動野（Ｃ４）のパワー量よりも減少していることが分かる。
【００６６】
一方、図２は、５秒に１回の割合で右手を実際に動かした時（上）と、右手運動イメージを行った際（下）のＣ３及びＣ４のパワー量の変化を示している。横軸は時間、縦軸がパワー量の変化を示しており、０秒でイメージを開始している。
【００６７】
図２の下図にも示すように、実線にて示すβ波が、イメージ開始後約1.5秒後にパワー量の増大を示しており、長周期イメージ後パワー増加が見られた。右手運動イメージでは、これと対側の左運動野（Ｃ３）のパワー量が右運動野（Ｃ４）のパワー量よりも大きく変化していることが分かる。
【００６８】
また、図示説明は省略するが、本発明者らの研究により、このような長周期イメージ後パワー増加が見られるのは、所定身体部位の運動をイメージするときのイメージ頻度が、1.5秒以上に１回のペースでイメージする場合に出現することが分かっている。
【００６９】
換言すれば、長周期イメージ後パワー増加はイメージ開始後1.5秒を境界とし、1.5秒未満に１回の速いペースで反復してイメージした場合（f＞1/1.5Hzの場合）には長周期イメージ後パワー増加は見られず、1.5秒以上に１回の遅いペースで反復してイメージした場合（f≦1/1.5Hzの場合）には、長周期イメージ後パワー増加が確認される。
【００７０】
このように、本試験結果から、被験者（使用者）に、1.5秒以上に１回の遅いペースで反復してイメージした場合（f≦1/1.5Hzの場合）には、長周期イメージ後パワー増加を出現させることができることが示された。
【００７１】
〔ブレイン・コンピュータ・インターフェースを介したコンピュータ上の仮想物体の操縦〕
次に、本発明に係るブレイン・コンピュータ・インターフェースの一形態としての運動イメージを用いた非同期式ブレイン・コンピュータ・インターフェースを用いた運動イメージによる仮想物体操縦について説明する。
【００７２】
具体的には、後に詳述する仮想物体操縦装置を用い、被験者（使用者）に任意のタイミングで左右示指のタッピング運動をイメージしてもらい、その際の脳波の変化をオンラインで特徴量化し、β波帯域に長周期イメージ後パワー増加が現れた場合にディスプレイ上に表示されたボール（図３参照）を左右所定方向に移動表示することで操作させることとした。
【００７３】
（被験者について）
使用者としての被験者は、健康な男性大学生（２０代、右利き）とした。なお、被験者には実験前に実験の趣旨と内容を書面と口頭で説明し、同意を得た。
【００７４】
(実験環境について）
被験者にはシールドルーム内で開眼安静状態で椅子に座ってもらった。実験は、被験者の顔から１ｍの位置にディスプレイを設置し、このディスプレイの画面を注視してもらい行った。
【００７５】
（課題について）
被験者に、数を数えずおよそ５秒間隔で左右示指のタッピング運動をイメージしてもらい、そのとき生じる脳波の13〜30Hzのβ波帯域のパワーの変化を特徴量とし、画面に表示されたボールを左右に操作する実験を行った。
【００７６】
課題としては、右手示指のタッピング運動をイメージする第１の課題、左手示指のタッピング運動をイメージする第２の課題、運動をイメージせず安静な状態を保ってもらう第３の課題、の計３種類を与え、各課題をそれぞれ５試行ずつ行った。また、各課題はそれぞれ10秒間のキャリブレーションセッション、最大60秒間のＢＣＩセッションとその後10秒間の待機時間で構成され、コントロールセッションの前には、解析のために1024msの前時間を設けた。
【００７７】
コントロールセッションでは、被験者に画面中央に表示された長方形のバーを10秒間で短くなり消えるまで、安静な状態で注視してもらった。
【００７８】
ＢＣＩセッションでは、被験者には長方形のバーが消えた瞬間を合図としてタッピング運動をイメージし画面に表示されたボールを左右のバーにたどりつくように操作してもらった。また、図３（ｂ）に示すように第１の課題では右側、第２の課題では左側のバーの隣に目標として網掛けのボールを表示し、第３の課題ではどちら側にも表示しないことで被験者に各課題の指示を与えた。
【００７９】
被験者がボールを操作し、第１の課題では右側、第２の課題では左側のバーにボールが到達したとき、それぞれのバーの色が緑色に変わり成功、反対側のバーに到達してしまったときそのバーが赤色に変わり失敗、または、どちらにもたどりつけず60秒間経過してしまった時も失敗として、ＢＣＩセッションを終了するようにした。なお第３の課題では左右どちらのバーについてしまった時も失敗とした。
【００８０】
ＢＣＩセッションが終わると、中央の青いバーが再び現れて10秒間で元の長さに戻っていくので、これを待機時間とし、被験者には安静な状態で再び中央のバーを注視してもらった。
【００８１】
（記録について）
国際10-20 電極法に基づく19部位および両耳朶に電極を配置し、平均電位基準により脳波を測定した。また、運動をイメージした際に実際に左右の手が動いていないことを確認するために、両手の第一背側骨間筋を探査電極、小指の中手指節関節を基準電極として、表面筋電図を測定した。脳波および筋電図はそれぞれ0.53〜300Hz、5〜300Hzの帯域フィルタを介してサンプリング周波数１kHzで、後述のコンピュータ１１に備えられた記憶部に記録された。
【００８２】
（解析について）
脳波を記録しながら、窓幅1024ms、シフト幅20msを１区間とする短時間窓FFTをオンラインで行い、β波帯域のパワーを求めた。このβ波帯域のパワーを用いてコントロールセッションで閾値を設定し、その閾値に応じてＢＣＩセッションでボールの制御を行った。なお、左右の運動イメージで実験を行ったため、ボールの制御には左右の体部位再現に対応するＣ３、Ｃ４電極部位に出現する長周期イメージ後パワー増加を用いた。
【００８３】
（コントロールセッションについて）
このセッションでは、得られた10秒間のβ波帯域のパワーから、β波帯域の平均パワーと標準偏差を求めた。そして、その平均パワー+5×標準偏差の値を閾値としてＢＣＩセッションで用いた。
【００８４】
（ＢＣＩセッションについて）
コントロールセッションで求めた閾値を使い、被験者がタッピング運動をイメージした際のβ波帯域のパワーがＣ３電極部位のみ閾値を超えているときは右に、Ｃ４電極部位のみ超えているときは左に10ピクセルずつ動くようにし、両方とも超えていないとき、および両方とも超えているときは動かないようにボールを制御した。なお、ボールは中心を0として左右それぞれ450ピクセル動くと左右のバーにたどりつくように設定した。
【００８５】
（仮想物体操縦装置Ａの構成）
次に、仮想物体操縦装置Ａの構成を図４に示す。仮想物体操縦装置Ａは、電極部１０と、コンピュータ１１と、ディスプレイ１２とを互いに電気的に接続して構成している。
【００８６】
電極部１０は、頭部表皮の各部位から脳波を取得してコンピュータ１１に送信するためのものであり、国際10-20法に基づく、少なくともＣ３電極、Ｃ４電極、Ａ１電極、Ａ２電極（図１（ｂ）参照）を含む複数の電極が備えられている。
【００８７】
コンピュータ１１には、フィルタリング部２０と、安静時脳波取得部２１と、イメージ開始タイミング取得部２２と、長周期イメージ後パワー増加検出部２３と、駆動命令部２４と、ＢＣＩセッション実行部２５とが備えられている。なお、これらの各部は、コンピュータ１１内に備えられたＲＯＭやＲＡＭ、その他記憶媒体に記憶されているプログラムをＣＰＵが実行することにより実現されるものである。
【００８８】
フィルタリング部２０は、電極部１０により得られた脳波から、所定の周波数の脳波を抽出するための部位であり、少なくともβ波（14〜30Hz）の他、α波（8〜13Hz）や、θ波（4〜7Hz）、δ波（0.5〜3Hz）についても抽出可能に構成している。
【００８９】
安静時脳波取得部２１は、ディスプレイ１２上に表示されるボール（仮想物体）の操縦に先立ち、コントロールセッションを実行して閾値を決定するための部位である。この安静時脳波取得部２１は、図示しない記憶部に所定時間（例えば１０秒間）フィルタリングされた脳波を記憶し、各周波数の脳波の平均値を取得する。特に本実施形態では前述のように、β波帯域のパワーから、β波帯域の平均パワーと標準偏差を求め、その平均パワー+5×標準偏差の値を閾値として決定する。
【００９０】
イメージ開始タイミング取得部２２は、被験者が自己の所定身体部位の運動のイメージを開始したタイミングを取得するための部位である。本実施形態では、ディスプレイ１２中央に表示したバーが徐々に短くなり、消えた時点をイメージ開始タイミングとして取得するようにしている。ただし、イメージ開始タイミングの取得はこれに限定されるものではない。
【００９１】
長周期イメージ後パワー増加検出部２３は、脳波のβ波帯域を監視し、安静時脳波取得部２１にて決定された閾値を超える著しいパワー増強、すなわち長周期イメージ後パワー増加の有無を検出する部位である。長周期イメージ後パワー増加検出部２３は、パワー量が一旦減少した後に閾値を超えるパワー変化を検出すると長周期イメージ後パワー増加が検出されたと判断する一方、パワー量が一旦減少した後に閾値を超えるパワー変化が検出されなければ長周期イメージ後パワー増加は検出されなかったと判断する。なお、本実施形態では、電極部１０と、フィルタリング部２０と、安静時脳波取得部２１と、イメージ開始タイミング取得部２２と、長周期イメージ後パワー増加検出部２３とで、被験者（使用者）のインターフェースとして機能するブレイン・コンピュータ・インターフェースＢを構成している。
【００９２】
駆動命令部２４は、長周期イメージ後パワー増加検出部２３での判断に基づいて、対象物に駆動命令を出力する部位である。本実施形態では、長周期イメージ後パワー増加検出部２３が長周期イメージ後パワー増加が検出されたと判断した際に、駆動命令部２４は、ＢＣＩセッション実行部２５に対して駆動命令を出力し、ＢＣＩセッション実行部２５にてボールを移動させる。なお、例えばコンピュータ１１に所定の対象物としての操作対象機器類１３が接続されている場合、長周期イメージ後パワー増加検出部２３が長周期イメージ後パワー増加が検出されたと判断した際には、駆動命令部２４は操作対象機器類１３に対して第１の駆動命令を出力し、長周期イメージ後パワー増加は検出されなかったと判断した際には第２の駆動命令を出力させても良い。このとき操作対象機器類１３では、第１の駆動命令と第２の駆動命令とでそれぞれ異なる動作を対応させておくことで、所定身体部位の運動イメージに更なる操作を割り当てることもできる。
【００９３】
ＢＣＩセッション実行部２５は、上述のＢＣＩセッションを実行するための部位であり、駆動命令部２４からの駆動命令の有無を反映しつつ、所定のプログラムに従いＢＣＩセッションを実行し、図示しないＶＲＡＭ等へのデータの書き換えを行って、ディスプレイ１２上に実行画面を表示する。
【００９４】
ディスプレイ１２は、被験者により操作される仮想物体としてのボールを表示する部位である。
【００９５】
このように、仮想物体操縦装置Ａは、本実施形態に係るブレイン・コンピュータ・インターフェースＢを備え、被験者によってボールを操縦可能に構成している。
【００９６】
次に、この仮想物体操縦装置Ａを用い、上述の試験方法に従って行った試験の結果について説明する。
【００９７】
（結果）
図５に第１の課題の被験者のＣ３、Ｃ４部位のβ波帯域パワー変化の一例を示す。また、横の破線がそれぞれの閾値を示し、縦の実線と破線がＢＣＩセッションの開始時刻と終了時刻をそれぞれ示している。
【００９８】
第１の課題では右手の運動をイメージしているため、右手の運動野に相当するＣ３電極部位において、ＢＣＩセッション開始時刻から２秒後付近に閾値を超える大きなパワーの上昇が現れ、長周期イメージ後パワー増加が発生していることがわかる。さらに、ＢＣＩセッション開始時刻から10秒後付近にも同様の変化がみられ、これにより正しく右にボールを制御しＢＣＩセッションを終えていることがわかる。このとき、Ｃ４電極部位では一度も閾値を超えなかったこともわかる。
【００９９】
次に、被験者の各課題について、Ｃ３、Ｃ４部位で閾値を超えた区間数および、区間数の差（Ｃ３-Ｃ４）を図６に示す。なお、区間数の差は45になると右側、-45になると左側のバーについたことを意味している。被験者は、第１及び第２の課題においてはそれぞれ５試行中４試行でボールの操作に成功していることがわかる。しかし、第３の課題においては運動をイメージしていないにもかかわらず、ボールが動いてしまっていることがわかる。この原因として、実験時間が長く安静な状態を保つのが困難だったのではないかと考えられる。
【０１００】
（考察）
本実験によって、被験者では、80%と高い成功率で画面に表示された仮想物体を操作することができた。
【０１０１】
これらの結果を踏まえれば、従来の非同期式のブレイン・コンピュータ・インターフェースと組み合わせることにより、所定身体部位の運動イメージに更なる操作を割り当てることができる。
【０１０２】
上述してきたように、本実施形態に係るブレイン・コンピュータ・インターフェースＢによれば、使用者が周期的に自己の所定身体部位の運動をイメージするときのイメージ頻度に基づいて所定の対象物を制御するブレイン・コンピュータ・インターフェースとしたため、所定身体部位の運動イメージに更なる操作を割り当てることが可能なブレイン・コンピュータ・インターフェースを提供することができる。
【０１０３】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【０１０４】
本実施形態において仮想物体操縦装置Ａは、β波全体の中で長周期イメージ後パワー増加を検出するよう構成したが、これに限定されるものではない。例えば、β波帯域をさらに細かく分けて最適な周波数帯域を選定するようにしても良い。
【０１０５】
また、本実施形態における仮想物体操縦装置Ａでは、所定の課題を提示して被験者にイメージを行わせることとしたが、これに限定されるものではない。
【０１０６】
例えば、複数のイメージ態様のうち、被験者に任意に（意図的に）いずれかを選択させてイメージさせることで、被験者の意図する制御を対象物に対して行わせるようにしても良い。
【０１０７】
また、本実施形態に係るブレイン・コンピュータ・インターフェースＢにおいて、イメージタイミングの取得は、イメージ開始タイミング取得部２２により、ディスプレイ１２中央に表示したバーが徐々に短くなり、消えた時点をイメージ開始タイミングとして取得するようにしたがこれに限定されるものではない。
【０１０８】
例えば、予めベース値と閾値とを取得しておき、イメージ開始タイミング取得部２２を設けることなく、長周期イメージ後パワー増加検出部２３により常時β波帯域のパワー変化量を監視させるよう構成しても良い。この方法によれば、使用者が任意のタイミングでイメージを開始した場合であっても、パワー抑制を契機として、その後長周期イメージ後パワー増加が検出された場合には第１の制御信号を出力させる一方、長周期イメージ後パワー増加が検出されなかった場合には第２の制御信号を出力させることで、対象物に対してそれぞれ異なった制御を行わせることができる。
【符号の説明】
【０１０９】
１０  電極部
１１  コンピュータ
１２  ディスプレイ
１３  操作対象機器類
２０  フィルタリング部
２１  安静時脳波取得部
２２  イメージ開始タイミング取得部
２３  長周期イメージ後パワー増加検出部
２４  駆動命令部
２５  ＢＣＩセッション実行部
Ａ  仮想物体操縦装置
Ｂ  ブレイン・コンピュータ・インターフェース
【図１】
2013128642.tif 000003
【図２】
2013128642.tif 000004
【図３】
2013128642.tif 000005
【図４】
2013128642.tif 000006
【図５】
2013128642.tif 000007
【図６】
2013128642.tif 000008